(57)【特許請求の範囲】
【請求項１】
拡張物理ダウンリンク制御チャンネル（ｅＰＤＣＣＨ）上で、オフセット値の指標を受信し、
前記ｅＰＤＣＣＨ上で、前記ｅＰＤＣＣＨの１または複数の拡張制御チャンネル要素（１または複数のｅＣＣＥ）を受信し、
前記オフセット値の前記指標に基づき、−２、−１、０、および２のオフセット値を含む複数の格納されたオフセット値を含むテーブルからオフセット値を選択し、
前記１または複数のｅＣＣＥのうちの第１のｅＣＣＥのインデックスおよび選択された前記オフセット値に少なくとも部分的に基づいて物理アップリンク制御チャンネル（ＰＵＣＣＨ）のアップリンクリソースの第１の割り当てを決定し、
１または複数のＣＣＥのうちの第１のＣＣＥのインデックスに少なくとも部分的に基づいてＰＵＣＣＨの第２の割り当てを決定する、
ユーザ機器回路（ＵＥ回路）。
【請求項２】
前記ＵＥ回路は、前記ｅＰＤＣＣＨで送信されたダウンリンク制御情報内の前記オフセット値の前記指標を受信する、請求項１に記載のＵＥ回路。
【請求項３】
前記ＵＥ回路は、選択された前記オフセット値の倍率での乗算に少なくとも部分的に基づいて前記アップリンクリソースの前記第１の割り当てを決定する、請求項１に記載のＵＥ回路。
【請求項４】
前記第１のｅＣＣＥの前記インデックスは、前記１または複数のｅＣＣＥのうちの他のｅＣＣＥのインデックスより小さい、請求項１に記載のＵＥ回路。
【請求項５】
前記ＵＥ回路は、１セットの前記ｅＰＤＣＣＨについての開始オフセット値に少なくとも部分的に基づいて前記アップリンクリソースの前記第１の割り当てを決定する、請求項１から請求項４のいずれか１つに記載のＵＥ回路。
【請求項６】
前記開始オフセット値は、ＵＥ固有の開始オフセット値である、請求項５に記載のＵＥ回路。
【請求項７】
選択された前記オフセット値は、前記ＵＥ固有の開始オフセット値またはセル固有の開始オフセット値をさらに含む、請求項６に記載のＵＥ回路。
【請求項８】
前記ＵＥ回路は、グラフィックスチップに連結されている、請求項１から請求項４のいずれか１つに記載のＵＥ回路。
【請求項９】
受信回路と、
受信回路に連結された処理回路と
を備えるユーザ機器（ＵＥ）であって、
前記受信回路は、
オフセット値の指標について拡張物理ダウンリンク制御チャンネル（ｅＰＤＣＣＨ）をモニタし、
前記ｅＰＤＣＣＨの１または複数の拡張制御チャンネル要素（１または複数のｅＣＣＥ）を取得し、
物理ダウンリンク制御チャンネル（ＰＤＣＣＨ）の１または複数の制御チャンネル要素（ＣＣＥ）を取得し、
前記処理回路は、
前記オフセット値の前記指標に基づき、−２、−１、０、および２のオフセット値を含む複数の格納されたオフセット値を含むテーブルから２のオフセット値を選択し、
前記１または複数のｅＣＣＥのうちの第１のｅＣＣＥのインデックスおよび前記オフセット値に少なくとも部分的に基づいて物理アップリンク制御チャンネル（ＰＵＣＣＨ）のアップリンクリソースの第１の割り当てを決定し、
前記１または複数のＣＣＥのうちの第１のＣＣＥのインデックスに少なくとも部分的に基づいて前記ＰＵＣＣＨのアップリンクリソースの第２の割り当てを決定し、
前記第１の割り当ておよび前記第２の割り当ては、互いに異なる、
ＵＥ。
【請求項１０】
前記オフセット値の前記指標は、前記ｅＰＤＣＣＨでのダウンリンク制御情報内に示される、請求項９に記載のＵＥ。
【請求項１１】
前記処理回路は、倍率で乗算された前記オフセット値の結果に少なくとも部分的に基づいて前記第１の割り当てを決定する、請求項９に記載のＵＥ。
【請求項１２】
前記第１のｅＣＣＥの前記インデックスは、前記１または複数のｅＣＣＥのうちの他のｅＣＣＥのインデックスより小さい、請求項９に記載のＵＥ。
【請求項１３】
前記処理回路は、複数のセットのｅＰＤＣＣＨから選択されたｅＰＤＣＣＨの１セットについての開始オフセット値に少なくとも部分的に基づいて、前記アップリンクリソースの前記第１の割り当てを決定する、請求項９から請求項１２のいずれか１つに記載のＵＥ。
【請求項１４】
前記開始オフセット値は、前記ＵＥに固有の開始オフセット値である、請求項１３に記載のＵＥ。
【請求項１５】
前記オフセット値は、前記開始オフセット値、またはセルに固有する開始オフセット値に少なくとも部分的に基づく、請求項１４に記載のＵＥ。
【請求項１６】
オフセット値の指標と、拡張物理ダウンリンク制御チャンネル（ｅＰＤＣＣＨ）の１または複数の拡張制御チャンネル要素（ｅＣＣＥ）とを受信する受信機と、
前記受信機に連結されたプロセッサと、
前記プロセッサに連結された送信機と
を備え、
前記プロセッサは、
前記オフセット値の前記指標に基づき、−２、−１、０、および２のオフセット値を含む複数の格納されたオフセット値を含むテーブルから２のオフセット値を選択し、
前記１または複数のｅＣＣＥのうちの第１のｅＣＣＥのインデックスおよび前記オフセット値に少なくとも部分的に基づいて物理アップリンク制御チャンネルのアップリンクリソースを割り当て、
前記送信機は、最初の前記アップリンクリソースを利用して、物理アップリンク制御チャンネル上で、信号を送信する、
ユーザ機器（ＵＥ）。
【請求項１７】
前記受信機は、前記ｅＰＤＣＣＨのダウンリンク制御情報内の前記オフセット値の前記指標を受信する、請求項１６に記載のＵＥ。
【請求項１８】
前記プロセッサは、倍率で乗算された前記オフセット値に少なくとも部分的に基づいて前記アップリンクリソースを割り当てる、請求項１６に記載のＵＥ。
【請求項１９】
前記第１のｅＣＣＥの前記インデックスは、前記１または複数のｅＣＣＥのうちの他のｅＣＣＥのインデックスより小さい、請求項１６に記載のＵＥ。
【請求項２０】
前記プロセッサは、１セットの前記ｅＰＤＣＣＨについての開始オフセット値に少なくとも部分的に基づいて前記アップリンクリソースを割り当てる、請求項１６から請求項１９のいずれか１つに記載のＵＥ。
【請求項２１】
前記開始オフセット値は、前記ＵＥに固有である、請求項２０に記載のＵＥ。
【請求項２２】
前記オフセット値は、前記開始オフセット値、またはセルに固有の開始オフセット値に少なくとも部分的基づく、請求項２１に記載のＵＥ。
【請求項２３】
前記プロセッサに連結されたディスプレイをさらに備える、請求項１６から請求項１９のいずれか１つに記載のＵＥ。
【発明の詳細な説明】
【技術分野】
【０００１】
［関連出願の相互参照］
本願は、米国仮特許出願第６１/６５３，３６９号（出願日：２０１２年５月３０日、発明の名称「アドバンストワイヤレス通信システムおよび技術」）、米国仮特許出願第６１/７０７，７８４号（出願日：２０１２年９月２８日、発明の名称「アドバンストワイヤレス通信システムおよび技術」）、および米国特許出願第１３/６７３，７９１号（出願日：２０１３年１１月９日、発明の名称「拡張ＰＤＣＣＨを利用したＰＵＣＣＨのリソース割り当て」）に基づく優先権を主張し、これらの文献の開示内容は全て、参照に本願に組み込まれる。
本発明の実施形態は、概して、第３世代パートナーシップ・プロジェクト（３ＧＰＰ）ネットワークにおけるリソース割り当ての技術分野に関する。特に、実施形態は、３ＧＰＰネットワークが、物理ダウンリンク制御チャンネル（ＰＤＣＣＨ）および拡張物理ダウンリンク制御チャンネル（ｅＰＤＣＣＨ）の両方で、ダウンリンク信号を送信しているときのアップリンクリソース割り当てについて記述する。
【背景技術】
【０００２】
本明細書において提供される背景の説明は、概して、本開示の文脈を提示することを目的としている。現時点において名前が挙げられている発明者による研究は、この「背景技術」部分で説明されている範囲内において、説明されていなければ出願時において先行技術としての基準を満たすものでない本明細書の側面と同様に、本開示内容を否定する先行技術として、明示または黙示を問わず、認められない。本明細書で記述されていなければ、この節で記載されている提案は、本開示のクレームに対する先行技術ではなく、この節の包含内容によって先行技術としては認められない。
【０００３】
３ＧＰＰネットワークにおいて、物理アップリンク制御チャンネル（ＰＵＣＣＨ）は、ＵＥから３ＧＰＰ  ｅＮｏｄｅＢ（ｅＮＢ）にアップリンク制御情報（ＵＣＩ）を送信するために用いられる。ＵＣＩ情報の例は、ハイブリッドＡＲＱ（ＨＡＲＱ）処理での肯定応答信号である。典型的には、複数のＰＵＣＣＨリソースは、ｅＮＢが１または複数のキャリア制御要素（ＣＣＥ）を利用することによりＰＤＣＣＨ上で送信される信号の最小のＣＣＥインデックスに基づいて、移動局に動的に割り当てられる。ＰＤＣＣＨ送信は、所与のＵＥに固有であるので、ＣＣＥインデックスを利用することで、ＰＵＣＣＨ上の固有のアップリンクリソースがＵＥに割り当てられることになる。
【０００４】
しかしながら、１または複数の拡張キャリア制御要素（ｅＣＣＥ）を用いたｅＰＤＣＣＨが、最近、３ＧＰＰの仕様書に導入されている。ＰＵＣＣＨのアップリンクリソースは、ｅＰＤＣＣＨ上での送信に用いられる１または複数のｅＣＣＥについての最小ｅＣＣＥインデックスに基づいてよい。特定の例において、最小ＣＣＥインデックスと最小ｅＣＣＥインデックスとは、同じである。これらの例において、ＰＤＣＣＨの最小ＣＣＥインデックスを利用する第１のＵＥに割り当てられるアップリンクリソースは、ｅＰＤＣＣＨの最小ｅＣＣＥインデックスを利用する第２のＵＥに割り当てられるアップリンクリソースと同じであり、リソース割り当ての競合をもたらす。
【図面の簡単な説明】
【０００５】
実施形態は、添付の図面と併せて以下の発明を実施するための形態により容易に理解されるであろう。この説明を容易にするために、同様の参照符号は、同様の構造上の要素を示す。実施形態は、例として示され、添付の図面の図に制約されるものではない。
【図１】様々な実施形態に係るＵＥおよびｅＮＢを含むネットワークシステムの高水準な例を図示する。
【図２】様々な実施形態に係る例示的なアップリンクリソースインデックスを図示する。
【図３】様々な実施形態に係る例示的な複数のアップリンクリソースオフセット値を図示する。
【図４】様々な実施形態に係る他の例示的な複数のアップリンクリソースオフセット値を図示する。
【図５】様々な実施形態に係る他の例示的な複数のアップリンクリソースオフセット値を図示する。
【図６】本明細書に記載された様々な実施形態を実行するために用いられるシステムの例を図示する。
【発明を実施するための形態】
【０００６】
装置、方法、および記憶媒体は、アップリンクリソースの割り当てのために、本明細書で記載される。特定の実施形態において、ＰＤＣＣＨ上の伝送で受信されたＣＣＥ及び情報に関連するアップリンクリソースは、第１のセットの値に従って割り当てられてもよい。ｅＰＤＣＣＨ上の伝送で受信されたｅＣＣＥおよび情報に関連するアップリンクリソースは、オフセット値に加えて同様のセットの値に従って割り当てられてよい。特定の実施形態において、例えば、ＵＥがＰＵＣＣＨに対して送信ダイバーシチを用いている場合、オフセット値が偶数であることが望ましい場合がある。いくつかの実施形態において、オフセット値は、負でよい。いくつかの実施形態において、オフセット値は、具体的には、ＲＲＣで信号伝達されてもよいし、あるいはｅＰＤＣＣＨ送信に関連するアンテナポートで指示されてもよい。特定の実施形態において、リソース割り当ては、開始オフセット値に少なくとも部分的に基づいてもよい。
【０００７】
以下の発明を実施するための形態において、参照番号は全体を通して同様の部分を示し、明細書中で実施されうる説明の形態で示され得る本明細書の一部を形成する添付の図面が参照される。他の実施形態を利用することができ、構造的または論理的な変更は、本開示の範囲を逸脱することなくされ得ることが理解されるべきである。よって、以下の発明を実施するための形態は、限定的な意味で解釈されず、実施形態の範囲は、添付の特許請求の範囲およびそれらと同等なものによって定義される。
【０００８】
様々なオペレーションが、複数の別個のアクションまたはオペレーションとして、順に、クレームされている主題を理解するのに最も理解しやすいやり方で、記載され得る。しかしながら、発明を実施するための形態の説明の順序は、これらのオペレーションが、必然的な順序として依存していることを示唆するように解釈されるべきでない。特に、これらのオペレーションは、提示される順序で実行されなくてもよい。記載されたオペレーションは、記載された実施形態とは異なる順序で実行されてもよい。様々な追加のオペレーションが実行され、および／または、記載されたオペレーションが追加の実施形態で省略されてもよい。
【０００９】
本開示の目的のために、「Ａおよび／またはＢ」および「ＡまたはＢ」という文言は、「（Ａ）、（Ｂ）または（ＡおよびＢ）」を意味する。本開示の目的のために、「Ａ、Ｂ、および／またはＣ」という文言は、「（Ａ）、（Ｂ）、（Ｃ）、（ＡおよびＢ）、（ＡおよびＣ）、（ＢおよびＣ）または（Ａ、ＢおよびＣ）」を意味する。
【００１０】
発明を実施するための形態において、同じまたは異なる実施形態のうちの１または複数をそれぞれ指すものとして、「１つの実施形態において」または「複数の実施形態において」という文言が用いられる。さらに、「備える（ｃｏｍｐｒｉｓｉｎｇ）」、「ｉｎｃｌｕｄｉｎｇ（含む）」、「有する（ｈａｖｉｎｇ）」などの用語は、本開示の実施形態に関して使用される限り、同義語である。
【００１１】
図１は、様々な実施形態に従う無線通信ネットワーク１００を概略的に図示する。無線通信ネットワーク１００（以下、「ネットワーク１００」）は、Ｅ−ＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）などの３ＧＰＰ  ＬＴＥネットワークのアクセスネットワークでよい。ネットワーク１００は、ＵＥ１１０と無線で通信するよう構成されたｅＮＢ１０５を含んでよい。
【００１２】
図１に示すように、ＵＥ１１０は、トランシーバモジュール１２０を含んでよい。トランシーバモジュール１２０は、ネットワーク１００の他のコンポーネント、例えば、ｅＮＢ１０５と無線で通信するために、ＵＥ１１０の複数のアンテナ１２５のうちの１または複数とさらに連結してよい。アンテナ１２５は、図１に示すように、トランシーバモジュール１２０のコンポーネント、またはＵＥ１１０とは別個のコンポーネントである電力増幅器１３０によって、電源供給されてよい。一実施形態において、電力増幅器１３０は、アンテナ１２５でのすべての送信のための電力を提供する。他の実施形態において、ＵＥ１１０上に複数の電力増幅器が存在してもよい。多重アンテナ１２５を用いることで、ＵＥ１１０が、空間直交リソース送信ダイバーシチ（ＳＯＲＴＤ）などの送信ダイバーシチ技術を利用できるようになる。特定の実施形態において、トランシーバモジュール１２０は、送信および受信の両方の回路を含んでよい。他の実施形態において、トランシーバモジュール１２０は、互いに別個の送信回路および受信回路（図示せず）で置き換えられてよい。他の実施形態において、トランシーバモジュール１２０は、トランシーバモジュール１２０（図示せず）から受信される、トランシーバモジュール１２０に送信される信号またはデータを変更、処理、または変換するよう構成された処理回路に連結されてよい。
【００１３】
図２は、例示的なＣＣＥ／ｅＣＣＥインデックス２００を示す。例示的な複数のインデックスは、最小のインデックス＃ｍ、および順次増加するインデックス＃ｍ＋１、＃ｍ＋２、＃ｍ＋７を含む。上述したように、ＰＤＣＣＨ送信の最小ＣＣＥインデックスは、いくつかの例において、ｅＰＤＣＣＨ送信の最小ｅＣＣＥインデックスと同じ場合がある。例えば、最小ＣＣＥインデックスと最小ｅＣＣＥインデックスとは同じで、例えば両方がインデックス＃ｍ＋２を利用する場合がある。第１のＵＥのＰＵＣＣＨ送信および第２のＵＥのＰＵＣＣＨ送信が、ＣＣＥ／ｅＣＣＥインデックス＃ｍ＋２を利用してスケジューリングされた場合、ＰＵＣＣＨの送信は、同じＣＣＥ／ｅＣＣＥインデックスを利用することで、競合する場合がある。
【００１４】
しかしながら、ｅＣＣＥを利用してアップリンクリソースの動的リソース割り当てのために、オフセット値が利用された場合、競合する送信は、回避できる。いくつかの実施形態において、オフセット値は、ネットワーク１００の無線リソース制御（ＲＲＣ）エンティティによって構成され得る。しかしながら、他の実施形態において、他のエンティティが、オフセット値を構成してもよい。いくつかの実施形態において、オフセット値は、肯定認知（ＡＣＫ）／否定認知（ＮＡＣＫ）リソース指標（ＡＲＩ）でもよい。他の実施形態において、オフセット値は、ｅＰＤＣＣＨ上でＵＥ１１０にデータを送信するためにｅＮＢ１０５によって使用されるアンテナポートに関連してもよい。
【００１５】
オフセット値を利用する一例として、ＵＥが、周波数分割多重（ＦＤＤ）シナリオで、ＳＯＲＴＤなどのＰＵＣＣＨについて送信ダイバーシチを利用している場合、ＵＥのＰＵＣＣＨリソースを、アンテナポート０および１のそれぞれに対して、下記に従うＣＣＥインデックスを利用して割り当てることができる。
【数１】
0005904568.tif 000002
ここで、
【数２】
0005904568.tif 000003
は、ポート０に対するＰＵＣＣＨリソースである。
【数３】
0005904568.tif 000004
は、ポート１に対するＰＵＣＣＨリソースである。
ＮＣＣＥは、ＣＣＥインデックスである。
【数４】
0005904568.tif 000005
は、予め設定された値である。  チャンネル選択で、ＰＵＣＣＨフォーマット１ｂを利用したＦＤＤキャリアアグリゲーションにおいて、ＰＵＣＣＨリソースは、
【数５】
0005904568.tif 000006
に従って割り当てられる。
別のＰＵＣＣＨリソースは、
【数６】
0005904568.tif 000007
に従って割り当てられる。
【００１６】
時分割複信（ＴＤＤ）シナリオに関して、アンテナポート０および１に対するリソースは、
【数７】
0005904568.tif 000008
および
【数８】
0005904568.tif 000009
のそれぞれによって決定される。
ここで、「value」は、例えば、３ＧＰＰ技術仕様書３６．２１３ｖ１０．５．０（２０１２−０３）に記述されているような、固有のサブフレーム、シグナリング値、物理ダウンリンク共有チャンネル、または半永続的スケジューリング（ＳＰＳ）値のうちの１または複数に関連する値である。
【００１７】
一方、ＦＤＤシナリオでのＵＥのＰＵＣＣＨリソースは、アンテナポート０および１のそれぞれに対して、
【数９】
0005904568.tif 000010
および
【数１０】
0005904568.tif 000011
に従うｅＣＣＥを利用して割り当てられる。
ここで、
【数１１】
0005904568.tif 000012
は、ｅＰＤＣＣＨセットｋのＰＵＣＣＨリソースに対するＵＥ固有の開始オフセットを表す。  特定の実施形態において、ｅＰＤＣＣＨセットが２つある。したがって、ｋは、０または１に等しくてもよい。しかしながら、他の実施形態において、ｅＰＤＣＣＨセットは、１つの場合も３つ以上の場合もあり、ｋは、所与のｅＰＤＣＣＨセットに対して他の値の場合もある。  さらに、ＴＤＤシナリオでのＵＥのＰＵＣＣＨリソースは、アンテナポート０に対し、
【数１２】
0005904568.tif 000013
に従い、
アンテナポート１に対して、
【数１３】
0005904568.tif 000014
に従うｅＣＣＥを利用して割り当てられる。
【００１８】
いくつかの実施形態において、ｎｏｆｆｓｅｔは、ＰＤＣＣＨまたはｅＰＤＣＣＨ上で送信されるダウンリンク制御情報（ＤＣＩ）を介してＵＥに送信されるオフセット値でよい。上記の通り、いくつかの実施形態において、ｎｏｆｆｓｅｔは、ＡＲＩでよい。代わりに、オフセット値ｎｏｆｆｓｅｔは、アンテナポートｐに関連するアンテナ固有のオフセットｋｐでよい。ここで、ｐは、対応するｅＰＤＣＣＨの最初のＣＣＥに割り当てられるアンテナポートである。実施形態において、分散ｅＰＤＣＣＨを利用する場合に、ｐが１０７または１０９に等しいときには、ｋｐは、ゼロに等しくてよい。実施形態において、分散ｅＰＤＣＣＨを利用する場合に、ｐが１０７、１０８、１０９、または１１０に等しいときには、ｋｐは、ｐ−１０７に等しくてよい。これらの実施形態において、ｎｏｆｆｓｅｔは、２・ｍ・ｋｐに等しくてよい。ここで、ｍは、整数である。特定の実施形態において、ｍは、１に等しくてよいので、ｎｏｆｆｓｅｔ＝２・ｋでよい。
【００１９】
他の実施形態において、アンテナ固有のオフセットｋｐを利用する場合、ｎｏｆｆｓｅｔは、ｋｐに等しくてよい。この場合、ＦＤＤリソース割り当ては、アンテナポート０および１のそれぞれに対して、
【数１４】
0005904568.tif 000015
および
【数１５】
0005904568.tif 000016
になってよい。ここで、
【数１６】
0005904568.tif 000017
は、上述したｅＰＤＣＣＨセットｋのＰＵＣＣＨリソースに対するＵＥ固有の開始オフセットを表す。  ＴＤＤリソース割り当ては、同様に、アンテナポート０および１のそれぞれに対して、
【数１７】
0005904568.tif 000018
および
【数１８】
0005904568.tif 000019
になってよい。
【００２０】
特定の実施形態において、複数のｎｏｆｆｓｅｔ値の組み合わせが、例えば、ＡＲＩに関連するＤＣＩシグナリングｎｏｆｆｓｅｔ値およびｋｐなどのアンテナ固有のオフセット値に関連するｎｏｆｆｓｅｔ値が使用されてよい。以下の例の理解を簡略化するために、ＡＲＩのようなＤＣＩシグナリング値に関連するｎｏｆｆｓｅｔは、ｎＡＲＩとして言及される。アンテナポートに関連するｎｏｆｆｓｅｔは、ｎａｎｔｅｎｎａとして言及される。ｎａｎｔｅｎｎａは、上述したｋｐのような複数の値に等しいか、２ｋｐまたは２ｍｋｐのようなｋｐの乗算値に等しくてよい。
【００２１】
一例として、ローカライズｅＰＤＣＣＨ送信について、ＦＤＤシナリオにおけるアップリンクリソースは、アンテナポート０および１のそれぞれに対して、
【数１９】
0005904568.tif 000020
および
【数２０】
0005904568.tif 000021
に従って、割り当てられてよい。  分散ｅＰＤＣＣＨ送信について、ＦＤＤシナリオにおけるアップリンクリソースは、アンテナポート０および１のそれぞれに対して、
【数２１】
0005904568.tif 000022
および
【数２２】
0005904568.tif 000023
に従って割り当てられてよい。
【００２２】
ローカライズｅＰＤＣＣＨ送信について、ＴＤＤシナリオにおけるアップリンクリソースは、アンテナポート０および１のそれぞれに対して、
【数２３】
0005904568.tif 000024
および
【数２４】
0005904568.tif 000025
に従って割り当てられてよい。  分散ｅＰＤＣＣＨ送信について、ＴＤＤシナリオにおけるアップリンクリソースは、アンテナポート０および１のそれぞれに対して、
【数２５】
0005904568.tif 000026
および
【数２６】
0005904568.tif 000027
に従って割り当てられてよい。
【００２３】
特定の実施形態において、動的リソース割り当てに対する開始オフセットを示すためのＲＲＣ構成
【数２７】
0005904568.tif 000028
が導入されてよい。  この実施形態において、
【数２８】
0005904568.tif 000029
は、ＦＤＤおよびＴＤＤリソース割り当てについての上記の方程式における
【数２９】
0005904568.tif 000030
に置き換えられてよい。
【００２４】
図３は、様々な実施形態において、信号伝達される例示的な複数のｎｏｆｆｓｅｔ値３００を図示する。上記の通り、ｎｏｆｆｓｅｔ値は、ｅＰＤＣＣＨのＤＣＩを介して信号伝達される。いくつかの実施形態において、説明されているオフセット値は、上記で説明されたＡＲＩ値でよい。例示的な複数のｎｏｆｆｓｅｔ値３００は、ＤＣＩで信号伝達される値セット３０５に対応する。
【００２５】
図３において、第１のｎｏｆｆｓｅｔ値セット３１０は、第１の実施形態において、ＤＣＩで信号伝達される値セット３０５に対応してよい。例えば、０、２、４、または６のｎｏｆｆｓｅｔは、００、０１、１０または１１のＤＣＩ信号のそれぞれに対応してよい。第２のｎｏｆｆｓｅｔ値セット３１５は、第２の実施形態において、ＤＣＩで信号伝達される値セット３０５に対応してよい。例えば、−２、０、２または４のｎｏｆｆｓｅｔは、００、０１、１０または１１のＤＣＩ信号のそれぞれに対応してよい。第３のｎｏｆｆｓｅｔ値セット３２０は、第３の実施形態において、ＤＣＩで信号伝達される値セット３０５に対応してよい。例えば、−４、−２、０または２のｎｏｆｆｓｅｔは、００、０１、１０または１１のＤＣＩ信号のそれぞれに対応してよい。第４のｎｏｆｆｓｅｔ値セット３２５は、第４の実施形態において、ＤＣＩで信号伝達される値セット３０５に対応してよい。例えば、−６、−４、−２または０のｎｏｆｆｓｅｔは、００、０１、１０または１１のＤＣＩ信号のそれぞれに対応してよい。第５のｎｏｆｆｓｅｔ値セット３３０は、第５の実施形態において、ＤＣＩで信号伝達される値セット３０５に対応してよい。例えば、０、２、６または８のｎoffsetは、００、０１、１０または１１のＤＣＩ信号のそれぞれに対応してよい。
【００２６】
ＳＯＲＴＤなどの送信ダイバーシチ構成を利用する場合の２つのアンテナポートに対して、またはチャンネル選択でＰＵＣＣＨ形式１ｂを利用したＦＤＤキャリアアグリゲーションに対して、２つの異なるリソースをリソーススケジュラが考慮して、競合回避の可能性を最大限にすべく、ｎｏｆｆｓｅｔは、偶数値であることが望ましい。上記の通り、ポート０および１間のアップリンクリソース割り当て、またはチャンネル選択でのＰＵＣＣＨ形式１ｂについてのアップリンクリソース割り当ては、１の値でインクリメントされてよい。言い換えると、ポート０が＃ｍ＋２に対応するアップリンクリソースを使用する場合、ポート１は、＃ｍ＋３に対応するアップリンクリソースを使用してよい。この例では、ｅＣＣＥに対応するアップリンクリソース割り当ては、ｅＣＣＥに基づくポート０のアップリンクリソース割り当てが、ＣＣＥに基づきポート１のアップリンクリソース割り当てと競合しないように、偶数値でインクリメントされる必要がある。例えば、図２で参照されるように、最小ＣＣＥインデックスが＃ｍ＋２であり、最小ｅＣＣＥインデックスが＃ｍ＋４である場合、ポート１に対してＣＣＥを利用して生成されたアップリンクリソース割り当ておよびポート０に対してｅＣＣＥを利用して生成されたアップリンクリソース割り当ての両方が、＃ｍ＋３に対応するアップリンクリソースを示すので、−１のｎｏｆｆｓｅｔ値は、競合を発生しうる。また、最小ＣＣＥインデックスが＃ｍ＋２および最小ｅＣＣＥインデックスが＃ｍ＋２である場合、ポート１に対してＣＣＥを利用して生成されたアップリンクリソース割り当ておよびポート０に対してｅＣＣＥを利用して生成されたアップリンクリソース割り当ての両方が、＃ｍ＋３に対応するアップリンクリソースを示すので、１のｎｏｆｆｓｅｔ値は、競合を発生しうる。
【００２７】
認識されるように、特定の実施形態において、将来の規格改訂で、望まないまたは廃止されるｎｏｆｆｓｅｔ値になるのであれば、適用可能な複数のｎｏｆｆｓｅｔ値のうち少なくとも１つは、ｎｏｆｆｓｅｔ値の中立性を許容するべく０であることが望ましい。しかしながら、他のｎｏｆｆｓｅｔ値セットは、０のｎｏｆｆｓｅｔ値を含まない場合がある。いくつかの実施形態において、先のＰＤＣＣＨについて大きなアグリゲーションレベル、すなわち先のＰＤＣＣＨを送信するのに利用される連続するＣＣＥの数を占めるように、少なくとも１つのｎｏｆｆｓｅｔ値は、負であることが望ましいが、他の実施形態は、全ての正の値（または全ての負の値）のｎｏｆｆｓｅｔ値を含みうる。最終的に、セット３１０、３１５、３２０、３２５および３３０で示されるｎｏｆｆｓｅｔ値は、単なる例示であり、より大きいまたはより小さい値が望ましい場合がある。
【００２８】
ｎｏｆｆｓｅｔ値を信号伝達する際により大きいまたはより小さい自由度を許容するために、ｎｏｆｆｓｅｔ値を示すのにより大きいまたはより小さいビットを利用することが望ましい場合がある。例えば、２ビットが利用されれば、４つの自由度が許容される。しかし、３ビットが利用されれば、８つの自由度が許容される。そして、ｘビットが利用されれば、２ｘの自由度が許容される。いくつかの実施形態において、電力抑制または信号のオーバヘッドを抑制する目的のために、単一ビットのみを使用してｎｏｆｆｓｅｔ値を信号伝達するほうが望ましい場合がある。一般的に、オフセットのためのＤＣＩビットは、既存のＤＣＩフィールドにビットを追加する、またはＤＣＩ内の既存のフィールドを再利用することで規定しうる。
【００２９】
例えば、図４は、単一ビットのみがＤＣＩで信号伝達されるセット値４０５で使用される実施形態についての例示的なｎｏｆｆｓｅｔ値４００を示す。図３と同様に、説明されるｎｏｆｆｓｅｔ値は、上述のＡＲＩ値でよい。例えば、第６のｎｏｆｆｓｅｔ値セット４１０は、第６の実施形態においてＤＣＩで信号伝達される値セット４０５に対応する。例えば、−２または０のｎｏｆｆｓｅｔは、０または１のそれぞれのＤＣＩ信号に対応する。第７のｎｏｆｆｓｅｔ値セット４１５は、第７の実施形態においてＤＣＩで信号伝達される値セット４０５に対応する。例えば、０または２のｎｏｆｆｓｅｔは、０または１のそれぞれのＤＣＩ信号に対応する。
【００３０】
いくつかの実施形態において、オフセット値は、偶数値および奇数値の組み合わせを含むことができる。図５は、偶数値および奇数値の組み合わせを含む実施形態に対する例示的な複数のｎｏｆｆｓｅｔ値５００を図示する。図３および図４と同様に、説明されるｎｏｆｆｓｅｔ値は、上述されるように、ＡＲＩ値でよい。図５において、第８のｎｏｆｆｓｅｔ値セット５１０は、第８の実施形態においてＤＣＩで信号伝達される値セット５０５に対応する。例えば、−４、−２、０または１のｎｏｆｆｓｅｔは、００、０１、１０、１１のそれぞれのＤＣＩ信号に対応する。第９のｎｏｆｆｓｅｔ値セット５１５は、第９の実施形態においてＤＣＩで信号伝達される値セット５０５に対応する。例えば、−２、０、１または２のｎｏｆｆｓｅｔは、００、０１、１０、１１のそれぞれのＤＣＩ信号に対応する。第１０のｎｏｆｆｓｅｔ値セット５２０は、第１０の実施形態においてＤＣＩで信号伝達される値セット５０５に対応する。例えば、−２、−１、０または２のｎｏｆｆｓｅｔは、００、０１、１０、１１のそれぞれのＤＣＩ信号に対応する。
【００３１】
奇数値および偶数値の組み合わせを使用することが、いくつかの理由で望まれる場合がある。第１に、スケーリング値が、ｎｏｆｆｓｅｔ値のフレキシビリティを最大化するのに適用されてよい。例えば、ＳＯＲＴＤなどの送信ダイバーシチがＰＵＣＣＨ送信で使用されない場合、偶数でないｎｏｆｆｓｅｔ値が許容されうる。しかしながら、ＰＵＣＣＨが、ＳＯＲＴＤを利用した後で送信される場合には、偶数のｎｏｆｆｓｅｔ値が望ましい。奇数値および偶数値の組み合わせは、両方のシナリオを許容しうる。なぜなら、奇数値がＳＯＲＴＤ送信で要求される偶数値になるように、２などの倍率が、適用されうるからである。例として、第９の実施形態におけるｎｏｆｆｓｅｔ値５１５を参照すると、２などの倍率を使用することで、値（−２、０、１、２）を偶数値（−４、０、２、４）にさせることができる。いくつかの実施形態において、ＲＲＣは倍率を設定しうる。さらに、他の実施形態において、ｅＮＢがＰＵＣＣＨ送信のためにＵＥで使用する倍率を設定できる。
【００３２】
例えばｐＣｅｌｌのようなスタンドアロンの新たなキャリアタイプ（ＮＣＴ）でｅＰＤＣＣＨが使用される特定の実施形態において、上述の実施形態が変更されうる。例えば、ｎｏｆｆｓｅｔ値は、ダウンリンク多ユーザ多入力多出力（ＭＵ−ＭＩＭＯ）または多地点協調（ＣｏＭＰ）などの適用可能な将来的な拡張を考慮しつづけることができる。また、ｎｏｆｆｓｅｔ値は、例えば、常にｎｏｆｆｓｅｔ値を０に設定することにより、効果的に除去できる。この例において、ｎｏｆｆｓｅｔ値は、仮想巡回冗長検査（ＣＲＣ）フィールドにおいて使用されうる。他の実施形態において、ｎｏｆｆｓｅｔ値は、ＤＣＩから完全に除去することができる。
【００３３】
上記の通り、特定の実施形態において、動的リソース割り当てのための開始オフセットは、ＲＲＣシグナリングで示されるＲＲＣパラメータによって提供されうる。これらの実施形態において、少なくとも１つのｎｏｆｆｓｅｔ値は、ＲＲＣパラメータのうち少なくとも１つを含みうる。  例えば、ｅＰＤＣＣＨセットｋについてのＵＥ固有の開始オフセットＲＲＣパラメータとして、
【数３０】
0005904568.tif 000031
（ここで、ｋ＝０，１）を示す場合、ｎｏｆｆｓｅｔ値は、
【数３１】
0005904568.tif 000032
および／または
【数３２】
0005904568.tif 000033
の少なくとも１つを含みうる。
【００３４】
ＵＥ固有の開始オフセット値
【数３３】
0005904568.tif 000034
は、物理アップリンク共有チャンネル（ＰＵＳＣＨ）信号がｅＮＢスケジューリングに応じてＰＵＣＣＨ領域で送信もできるように、ＰＵＣＣＨパラメータをオフセットすべく、ｎｏｆｆｓｅｔ内のＲＲＣパラメータを使用することで、所与のＰＵＣＣＨリソース領域を効果的に使用することに役立ち得る。
【００３５】
これらの実施形態において、オフセット値ｎｏｆｆｓｅｔは、０、２、
【数３４】
0005904568.tif 000035
または
【数３５】
0005904568.tif 000036
でよい。したがって、これらの実施形態において、ｎｏｆｆｓｅｔパラメータは、上述した偶数のオフセット値およびｅＰＤＣＣＨのオフセット値の混合のバージョンになりうる。ｎｏｆｆｓｅｔに他する他の変数は、０、Ｎ、
【数３６】
0005904568.tif 000037
または
【数３７】
0005904568.tif 000038
を含みうる。ここで、Ｎ、Ｍ１およびＭ２は、整数値である。  この例において、Ｎ、Ｍ１、およびＭ２は、それぞれ１または−１に等しい。いくつかの実施形態において、３つの変数のすべては、互いに等しくてもよい。また、他の実施形態において、変数のうち少なくとも１つは、他の変数とは異なる値であってもよい。他の実施形態において、Ｎは、１または−１に等しくて、Ｍ１および／またはＭ２は、０に等しくてもよい。特定の実施形態において、Ｎ、Ｍ１、およびＭ２は、ＳＯＲＴＤまたはＦＤＤチャンネル選択によるリソース競合を回避すべく、２、−２などの偶数値、またはいくつかの他の偶数値であってもよい。  例えば、これらの実施形態において、ｎｏｆｆｓｅｔは、０、±２、
【数３８】
0005904568.tif 000039
、
【数３９】
0005904568.tif 000040
でよい。ここで、「±Ａ」は、＋Ａまたは−Ａを表す。
【００３６】
特定の実施形態において、ｅＰＤＣＣＨセットｋについてのオフセット値ｎｏｆｆｓｅｔは、０、２、
【数４０】
0005904568.tif 000041
または
【数４１】
0005904568.tif 000042
でよい。
したがって、これらの実施形態において、ｎｏｆｆｓｅｔパラメータは、ｅＰＤＣＣＨセットｋについてのＵＥ固有の開始オフセットを、例えば、上述したＡＲＩで示されるｎｏｆｆｓｅｔのような信号伝達されるｎｏｆｆｓｅｔに効果的に変更しうる。他の実施形態において、ｎｏｆｆｓｅｔに対する他の変数は、０、Ｎ、
【数４２】
0005904568.tif 000043
または、
【数４３】
0005904568.tif 000044
を含みうる。ここで、Ｎ、Ｍ１、およびＭ２は、整数値である。  この例では、Ｎ、Ｍ１、およびＭ２は、それぞれ１または−１と等しくてよい。いくつかの実施形態において、３つの変数のすべては、互いに等しくてもよい。他の実施形態において、変数のうち少なくとも１つは、他の変数とは異なる値でもよい。他の実施形態において、Ｎは、１または−１に等しく、Ｍ１および／またはＭ２は、０に等しくてもよい。特定の実施形態において、Ｎ、Ｍ１、およびＭ２は、ＳＯＲＴＤまたはＦＤＤチャンネル選択によるリソース競合を回避すべく、２、−２などの偶数値、またはいくつかの他の偶数値であってもよい。  例えば、これらの実施形態において、ｎｏｆｆｓｅｔは、０、±２、
【数４４】
0005904568.tif 000045
、
【数４５】
0005904568.tif 000046
でよい。ここで、「±Ａ」は、＋Ａまたは−Ａを表す。第２のｅＰＤＣＣＨセットｋ＝１、
【数４６】
0005904568.tif 000047
についての開始オフセットが設定されない実施形態において、
【数４７】
0005904568.tif 000048
の値は、セル固有の開始オフセット
【数４８】
0005904568.tif 000049
によって置き換えられてよい。  これらの実施形態において、結果として、ｎｏｆｆｓｅｔの値は、０、Ｎ、
【数４９】
0005904568.tif 000050
または、
【数５０】
0005904568.tif 000051
でよい。ここで、Ｎ、Ｍ１およびＭ２は、整数値である。
【００３７】
本開示の実施形態は、必要に応じて構成される任意の適切なハードウェアおよび／またはソフトウェアを利用したシステムで実行されうる。図６は、本明細書で記載されている様々な実施形態を実行するために用いることができる例示的なシステム６００の概略を図示する。図６は、１つの実施形態において、例示的なシステム６００を図示する。システム６００は、１または複数のプロセッサ６０５、プロセッサ６０５のうち少なくとも１つに連結されるシステム制御モジュール６１０、システム制御モジュール６１０に連結されるシステムメモリ６１５、システム制御モジュール６１０に連結される不揮発性メモリ（ＮＶＭ）記憶装置６２０、およびシステム制御モジュール６１０に連結される１または複数の通信用インタフェース６２５を備える。
【００３８】
いくつかの実施形態において、システム６００は、本明細書に記載されているＵＥ１１０として機能することが可能である。他の実施形態において、システム６００は、図１に示された実施形態または他の記載された実施形態の任意の１つで図示されるｅＮＢ１０５として機能することが可能である。いくつかの実施形態において、システム６００は、命令を有する１または複数のコンピュータ可読媒体（例えば、システムメモリ、またはＮＶＭ／記憶装置６２０）、および１または複数のコンピュータ可読媒体に連結され、命令を実行して本明細書で記載されたアクションを実行するモジュールを実装するよう構成された１または複数のプロセッサ（例えば、プロセッサ６０５）を含む。
【００３９】
１つの実施形態でのシステム制御モジュール６１０は、プロセッサ６０５のうち少なくとも１つ、および／またはシステム制御モジュール６１０と通信する任意の適切なデバイスまたはコンポーネントに、任意の適切なインタフェースを提供する任意の適切なインタフェースコントローラを含む。
【００４０】
システム制御モジュール６１０は、システムメモリ６１５へのインタフェースを提供するメモリ制御モジュール６３０を含む。メモリ制御モジュール６３０は、ハードウェアモジュール、ソフトウェアモジュール、および／またはファームウェアモジュールでよい。
【００４１】
システムメモリ６１５は、例えば、システム６００に対するデータおよび／または命令をロードおよび格納するために用いられる。１つの実施形態におけるシステムメモリ６１５は、例えば、適切なＤＲＡＭなどの任意の適切な揮発性メモリを含む。いくつかの実施形態において、システムメモリ６１５は、ダブルデータレートタイプランダムアクセスメモリ（ＤＤＲ４  ＳＤＲＡＭ）を含む。
【００４２】
１つの実施形態でのシステム制御モジュール６１０は、ＮＶＭ／記憶装置６２０および通信用インタフェース６２５へのインタフェースを提供する１または複数の入出力（Ｉ／Ｏ）コントローラを含む。
【００４３】
ＮＶＭ／記憶装置６２０は、例えば、データおよび／または命令を格納するために用いられる。
【００４４】
ＮＶＭ／記憶装置６２０は、例えば、フラッシュメモリなどの任意の適切な不揮発性メモリを含む。および／または、ＮＶＭ／記憶装置６２０は、例えば、１または複数のハードディスクドライブ（ＨＤＤ）、１または複数のコンパクトディスク（ＣＤ）ドライブ、および／または１または複数のデジタル多用途ディスク（ＤＶＤ）ドライブなどの任意の適切な不揮発性記憶デバイスを含む。
【００４５】
ＮＶＭ／記憶装置６２０は、システム６００が組み込まれ、必ずしも必要ではないがデバイスの一部によってアクセス可能なそのデバイスの物理的な一部であるストレージリソースを含む。例えば、ＮＶＭ／記憶装置６２０は、通信用インタフェース６２５を介してネットワークへアクセスされうる。
【００４６】
通信用インタフェース６２５は、システム６００にインタフェースを提供して、１または複数のネットワーク、および／または他の適したデバイスと通信してよい。システム６００は、１または複数の無線ネットワークの規格および／またはプロトコルのいずれかに従って、無線ネットワークの１または複数のコンポーネントと無線で通信してよい。例えば、通信用インタフェース６２５は、図１に関連して上述したトランシーバモジュール１２０に連結されてよい。
【００４７】
１つの実施形態において、プロセッサ６０５のうち少なくとも１つは、システム制御モジュール６１０、例えばメモリ制御モジュール６３０の１または複数のコントローラについてのロジック共にパッケージ化されてよい。１つの実施形態において、プロセッサ６０５のうち少なくとも１つは、システム制御モジュール６１０の１または複数のコントローラのためのロジックと共にパッケージ化され、システムインパッケージ（ＳｉＰ）を形成してよい。１つの実施形態において、プロセッサ６０５のうち少なくとも１つは、システム制御モジュール６１０の１または複数のコントローラのためのロジックと共に同じダイ上に統合されてよい。１つの実施形態において、プロセッサ６０５のうち少なくとも１つは、システム制御モジュール６１０の１または複数のコントローラのためのロジックと同じダイ上に統合され、システムオンチップ（ＳｏＣ）を形成してよい。
【００４８】
様々な実施形態において、限定はされないが、システム６００は、サーバ、ワークステーション、デスクトップコンピューティングデバイス、またはモバイルコンピューティングデバイス（例えば、ラップトップコンピューティングデバイス、ハンドヘルド型コンピューティングデバイス、タブレット、ネットブックなど）でよい。様々な実施形態において、システム６００は、より多くまたはより少ないコンポーネント、および／または異なるアーキテクチャを有してよい。例えば、いくつかの実施形態において、システム６００は、カメラ、キーボード、液晶ディスプレイ（ＬＣＤ）画面（タッチスクリーンディスプレイを含む）、不揮発性メモリポート、多重アンテナ、グラフィックスチップ、用途特定の集積回路（ＡＳＩＣ）およびスピーカのうちの１または複数を含んでよい。
【００４９】
方法および装置は、アップリンク制御チャンネルリソースを動的に割り当てるために本明細書内で提供される。特定の実施形態において、ＵＥ回路は、ｅＰＤＣＣＨ上でオフセット値の指標を受信する。ＵＥ回路は、さらに、ｅＰＤＣＣＨの１または複数のｅＣＣＥを受信する。その後、ＵＥ回路は、オフセット値の指標に基づいて、−２、−１，０、および２のオフセット値を含む複数の格納されたオフセット値を含むテーブルから１つのオフセット値を選択する。それから、ＵＥ回路は、１または複数のｅＣＣＥのうちの第１のｅＣＣＥのインデックスおよび選択されたオフセット値に少なくとも部分的に基づくＰＵＣＣＨのアップリンクリソースの割り当てを決定してよい。特定の実施形態において、オフセット値の指標は、ｅＰＤＣＣＨで送信されるダウンリンク制御情報で受信され。一方、他の実施形態において、オフセット値は、ｅＰＤＣＣＨに関連するアンテナポートの少なくとも部分的に基づいてよい。少なくとも１つの実施形態において、アンテナポートは、第１のｅＣＣＥに割り当てられる。いくつかの実施形態において、アップリンクリソースの割り当ては、ｅＰＤＣＣＨの１セットについてのＵＥ固有の開始オフセット値に少なくとも部分的に基づいてよい。更に、オフセット値は、ＵＥ固有の開始オフセット値またはセル固有の開始オフセット値に基づいてよい。いくつかの実施形態において、複数のオフセット値のうち少なくとも１つは、偶数または負でよく、倍率は、オフセット値を乗算するために用いられてよい。更に、第１のｅＣＣＥのインデックスは、１または複数のｅＣＣＥのうちの他のｅＣＣＥのインデックスより小さくてよい。いくつかの実施形態において、ＵＥ回路は、グラフィックスチップに連結されてよい。
【００５０】
特定の実施形態は、さらに、上述の実施形態と同様な機能を実行するために受信および処理回路を含むＵＥを含んでよい。具体的には、受信回路は、２のオフセット値のためのｅＰＤＣＣＨをモニタして、ｅＰＤＣＣＨの１または複数のｅＣＣＥを取得してよい。更に、受信回路が、ＰＤＣＣＨの１または複数のＣＣＥを取得し、処理回路が１または複数のｅＣＣＥのうちの第１のｅＣＣＥのインデックスおよびオフセット値に少なくとも部分的に基づいてＰＵＣＣＨのアップリンクリソースの第１の割り当てを決定し、１または複数のＣＣＥの第１のＣＣＥのインデックスに少なくとも部分的に基づいてＰＵＣＣＨのアップリンクリソースの第２の割り当てを決定してもよい。いくつかの実施形態において、第１の割り当ておよび第２の割り当ては、互いに異なってもよい。いくつかの実施形態において、オフセット値は、ｅＰＤＣＣＨ内のダウンリンク制御情報で信号伝達されてよい。いくつかの実施形態において、処理回路は、倍率で乗算されたオフセット値の結果に少なくとも部分的に基づいて第１の割り当てを決定してもよい。いくつかの実施形態において、第１のｅＣＣＥのインデックスは、１または複数のｅＣＣＥのうちの他のｅＣＣＥのインデックスより小さくてもよい。いくつかの実施形態において、処理回路は、ｅＰＤＣＣＨの複数のセットから選択されたｅＰＤＣＣＨの１セットについての開始オフセット値に少なくとも部分的に基づいてアップリンクリソースの第１の割り当てを決定してもよい。いくつかの実施形態において、開始オフセット値は、ＵＥに固有の開始オフセット値でもよい。いくつかの実施形態において、オフセット値は、ＵＥに固有の開始オフセット値、またはセルに固有の開始オフセット値に少なくとも部分的に基づいてよい。いくつかの実施形態において、２のオフセット値は、−２、−１、０、および２を含むセットから選択されてよい。
【００５１】
他の実施形態において、ＵＥは、２のオフセット値およびｅＰＤＣＣＨの１または複数のｅＣＣＥを受信する受信機を含んでよい。ＵＥは、さらに、受信機に連結され、１または複数のｅＣＣＥのうちの第１のｅＣＣＥのインデックスおよびオフセット値に少なくとも部分的に基づいてＰＵＣＣＨのアップリンクリソースを割り当てるプロセッサを含んでよい。ＵＥは、最初のアップリンクリソースを利用して物理アップリンク制御チャンネル上で信号を送信するよう構成された送信機も含んでよい。実施形態において、受信機は、ｅＰＤＣＣＨのダウンリンク制御情報内のオフセット値を受信してもよい。実施形態において、プロセッサは、倍率で乗算されるようなオフセット値に少なくとも部分的に基づいてアップリンクリソースを割り当ててもよい。実施形態において、第１のｅＣＣＥのインデックスは、１または複数のｅＣＣＥのうちの他のｅＣＣＥのインデックスより小さい。実施形態において、プロセッサは、ｅＰＤＣＣＨの１セットの開始オフセット値に少なくとも部分的に基づいてアップリンクリソースを割り当ててもよい。実施形態において、開始オフセット値は、ＵＥに固有である。実施形態において、オフセット値は、ＵＥに固有の開始オフセット値、またはセルに固有の開始オフセット値に少なくとも部分的に基づく。実施形態において、２のオフセット値は、−２、−１、０および２からなるセットから選択されてよい。実施形態において、ディスプレイは、プロセッサに連結されてよい。
【００５２】
特定の実施形態は、説明を目的として本明細書に図示および記載されているが、本願は、本明細書で説明した実施形態の任意の適応例または変更例を含むことを意図している。このため、本明細書で説明した実施形態は、特許請求の範囲によってのみ限定されることは明らかである。
【００５３】
ここで、「１つ」または「第１」の要素または同等物を列挙する場合、１つまたは複数のそのような要素を含むばかりでなく、２つまたはそれ以上のそのような要素を必要とすることも排除されることもない。さらに、要素を特定するための順序を示す標識（第１、第２、または第３）は、要素間を区別するために用いられ、そのような要素の要求されたまたは限定された数を示したり、示唆したりするものでもなく、特段の記述がなければ、それらは、そのような要素の特定の位置または順序を示すものでもない。
【図１】
0005904568.tif 000052
【図２】
0005904568.tif 000053
【図３】
0005904568.tif 000054
【図４】
0005904568.tif 000055
【図５】
0005904568.tif 000056
【図６】
0005904568.tif 000057